(57)【要約】【課題】  ＬＰガスが充填されたバルク貯槽等を車両等の火気から遮り、車両等の接触を防ぐ防護構造において、隔壁パネルを基礎に強固に固定でき、狭い基礎上に隔壁パネルの他に車止めを容易に設置できる、防護構造を提供する。【解決手段】  火気とＬＰガスバルク貯槽等１とをさえぎる位置に防火隔壁10を設け、ＬＰガスバルク貯槽等１の設置箇所の基礎Ｂ上にＬＰガスバルク貯槽等１に車両が接触しないようにする車止め20を設けたＬＰガスバルク貯槽等１の防護構造において、防火隔壁10の隔壁パネル11にそれを支える垂直方向に長い隔壁支柱12を設け、隔壁支柱12を車止め20に固定した。【選択図】図１
0003156210.tif 000002
【実用新案登録請求の範囲】
【請求項１】
火気とＬＰガスバルク貯槽等とをさえぎる位置に防火隔壁を設け、ＬＰガスバルク貯槽等の設置箇所の基礎上にＬＰガスバルク貯槽等に車両が接触しないようにする車止めを設けたＬＰガスバルク貯槽等の防護構造において、防火隔壁の隔壁パネルにそれを支える垂直方向に長い隔壁支柱を設け、隔壁支柱を車止めに固定したＬＰガスバルク貯槽等の防護構造。
【考案の詳細な説明】
【技術分野】
【０００１】
本考案は、ＬＰガスが充填されたバルク貯槽等を車両等の火気から遮り、車両等の接触を防ぐ防護構造に関する。
【背景技術】
【０００２】
屋外に設置するＬＰガス（液化石油ガス）バルク容器やバルク貯槽等では、「液化石油ガスの保安の確保及び取引の適正化に関する法律施行規則」の省令により「バルク貯槽の外面から二メートル以内にある火気をさえぎる措置を講じる」ことが義務付けられている。
【０００３】
この火気とは、車両等や電気設備などの炎や火花、あるいは高熱を発生する、または発生する恐れがあるものである。
【０００４】
このような、二メートル以内にあるＬＰガスが充填されたバルク貯槽等を火気から遮るための措置として、火気の熱が容器に影響を及ぼさないよう、かつ容器から漏洩したガスが火気のほうへ流れないようにする隔壁パネルにより、二メートル以上の火気との迂回距離を取れるようにして漏洩の危険に対処したものが知られている。
【０００５】
例えば、特開平６−２１２７１５号公報に示されるように、ＬＰガスが充填されたガスボンベの設置箇所と火器の設置箇所との間に設けられるパネルであって、パネル本体の固定すべき壁面側の端部と設置面側の端部から、該壁面と該設置面に接当させる薄板状の弾性部材を延出させたものである。
【０００６】
バルク貯槽等の大型の隔壁パネルとして、隔壁パネルを支える支柱を斜めに設け、隔壁パネルの下端と支柱の下端を基礎にアンカー止めするようにし、それを複数枚並設した物も知られている。
【０００７】
また、同規則には「自動車等車両が接触しない措置を講ずること」も義務付けられていて、例えば実用新案登録第３０９０９９６号公報に示されるように、地上設置の液化石油ガスバルク貯槽等の設置空間の周囲を囲む保護柵において、保護柵には逆Ｕの字形状の保護柵管を設け、保護柵管の左右における垂直部分の下端は地面（基礎）に固定される、車止めによるものである。その車止め等により、バルク貯槽等に車両が接触しない措置がとられている。
【先行技術文献】
【特許文献】
【０００８】
【特許文献１】特開平６−２１２７１５号公報
【特許文献２】実用新案登録第３０９０９９６号公報
【考案の概要】
【考案が解決しようとする課題】
【０００９】
上記のバルク貯槽等の大型の隔壁パネルでは、台風のような強風に対して確実に固定することは難しかった。
【００１０】
つまり、隔壁パネルは文字通り難燃性（通常は鋼板）の矩形の高さ２メートル弱の板であり、ガスの漏洩を防ぐ目的からも孔が開けられず、風をその正面から受けると風圧をまともに受けてしまうものである。
【００１１】
その隔壁パネルを取り付けるバルク貯槽等の基礎の面積は、その設置場所を広く取れないことが多く、平面視でバルク貯槽等の周りに数十センチメートルの余裕しかないため、隔壁パネルを斜めに支える支柱の角度も急角度となり、基礎に強固に固定できない。
【００１２】
また、隔壁パネルを取り付けるバルク貯槽等の火気が車両である場合、車止め等によりバルク貯槽等に車両が接触しない措置が必要となり、狭い基礎上に隔壁パネルの他に車止めを設置するという難しさがある。
【００１３】
そこで本考案は、隔壁パネルを基礎に強固に固定でき、狭い基礎上に隔壁パネルの他に車止めを容易に設置できる、ＬＰガスバルク貯槽等の防護構造を提供することを目的とする。
【課題を解決するための手段】
【００１４】
請求項１の考案のＬＰガスバルク貯槽等の防護構造は、火気とＬＰガスバルク貯槽等１とをさえぎる位置に防火隔壁10を設け、ＬＰガスバルク貯槽等１の設置箇所の基礎Ｂ上にＬＰガスバルク貯槽等１に車両が接触しないようにする車止め20を設けたＬＰガスバルク貯槽等１の防護構造において、防火隔壁10の隔壁パネル11にそれを支える垂直方向に長い隔壁支柱12を設け、隔壁支柱12を車止め20に固定したものである。
【考案の効果】
【００１５】
請求項１の考案によれば、防火隔壁10の隔壁パネル11にそれを支える垂直方向に長い隔壁支柱12を設け、隔壁支柱12を車止め20に固定したことにより、防火隔壁10は車止め20に支えられ、隔壁パネル11を基礎Ｂに強固に固定できる。また、防火隔壁10と車止め20を接近させることができ、狭い基礎Ｂ上に隔壁パネル11の他に車止め20を容易に設置できる。
【図面の簡単な説明】
【００１６】
【図１】図１はＬＰガスバルク貯槽等の防護構造を示す正面図である。
【図２】図２は図１の側面図である
【図３】図３は図１の平面図である。
【図４】図４は図１の背面図である。
【図５】図５はＬＰガスバルク貯槽等の防護構造を示す斜視図である。
【図６】図６は図２の部分拡大図である。
【考案を実施するための形態】
【００１７】
隔壁パネルを基礎に強固に固定でき、狭い基礎上に隔壁パネルの他に車止めを容易に設置できるＬＰガスバルク貯槽等の防護構造を提供する目的を、防火隔壁10の隔壁パネル11にそれを支える垂直方向に長い隔壁支柱12を設け、隔壁支柱12を車止め20に固定することで実現した。
【実施例１】
【００１８】
図１は、本考案の実施例に係るＬＰガスバルク貯槽等の防護構造である。
【００１９】
この防護構造は、バルク供給に係るＬＰガス（液化石油ガス）バルク容器（スカート又はサドル等を基礎に設置）やバルク貯槽（支柱又はサドル等を基礎にアンカーボルト等で固定）等の比較的大型の可燃性ガス容器（それらを含めてＬＰガスバルク貯槽等１という）を、防火隔壁10により二メートル以上の火気との迂回距離を取れるようにして漏洩の危険に対処し、車止め20によりＬＰガスバルク貯槽等１に車両が接触しない措置がとられているものである。
【００２０】
ＬＰガスバルク貯槽等１は貯蔵能力が１，０００kg未満のものが主に用いられるが、本実施例は５００kg用の横置型のバルク貯槽１を示している。
【００２１】
このバルク貯槽１は、地面Ｅにほぼ埋設された基礎Ｂに載置され、基礎Ｂは不同沈下等によりバルク貯槽１に有害なひずみが生じないような平面視が略長方形の平坦なコンクリート盤であり、バルク貯槽１のサドルがアンカーボルトで基礎Ｂに固定される。
【００２２】
バルク貯槽１の防護構造は、火気とバルク貯槽１とをさえぎる位置に防火隔壁10を設け、バルク貯槽１の設置箇所の基礎Ｂ上にバルク貯槽１に車両が接触しないようにする車止め20を設ける。
【００２３】
防火隔壁10の火気とバルク貯槽１とをさえぎる位置とは、駐車場の車両等の火気の方向とバルク貯槽１の間であり、略長方形の基礎Ｂ上端の一辺または二辺に防火隔壁10が位置する。実施例では基礎Ｂ上の長辺の一辺に防火隔壁10が位置する例を示している。
【００２４】
車止め20は、防火隔壁10とバルク貯槽１の間、または防火隔壁10の外側の基礎Ｂ上に設ける。実施例では車止め20を防火隔壁10とバルク貯槽１の間に設ける例を示している。
【００２５】
なお、車止め20を防火隔壁10とバルク貯槽１の間に設ける場合、防火隔壁10は基礎Ｂ上の端に沿って設け、基礎Ｂ上には位置しないようにしても良い。
【００２６】
防火隔壁10には、上下方向に並設された複数枚の隔壁パネル11と、それを支える複数本の隔壁支柱12と、最下端の隔壁パネル11を基礎Ｂ上に固定するための土台枠13を設ける。
【００２７】
隔壁パネル11は正面視が略矩形で横長の鋼板であり、側面視でその上端は補強のため略Ｌの字状に曲げられ、その先端側が水切りのためやや下がり方向とされる。隔壁パネル11は側面視でその下端は補強のため略Ｚの字状に曲げられ、その略水平部分は先端側が水切りのためやや下がり方向とされ、その略垂直部分は先端が下方向を向いている。
【００２８】
隔壁パネル11は、その上端と下端が重ね合わされ、ガスの漏洩を防ぐことができる程度に密着させてボルト・ナットで連結される。実施例では上下方向に並設された隔壁パネル11の高さは約181cm、幅は約180cmとした。
【００２９】
隔壁支柱12は垂直方向に長い柱で、その平面視が略ハット形状の鋼板であり、その略ハット形状の幅広側が隔壁パネル11に向き、隔壁パネル11と車止め20の間に位置し、隔壁支柱12に隔壁パネル11がボルト・ナットで固定される。実施例では隔壁支柱12は２本とし、２個の車止め20に固定した。
【００３０】
土台枠13は、その側面視が略Ｚの字状の隔壁パネル11の幅と同じ長さの細長い鋼板で、最下端の隔壁パネル11と基礎Ｂとの隙間を塞ぎ、最下端の隔壁パネル11の下端と土台枠13の上端が重ね合わされ、ガスの漏洩を防ぐことができる程度に密着させてボルト・ナットで連結される。
【００３１】
土台枠13の下端は基礎Ｂ上に位置し、土台枠13の下端は車止め20と共にアンカーボルトにより、ガスの漏洩を防ぐことができる程度に密着させて基礎Ｂに固定される。これにより、土台枠13は最下端の隔壁パネル11を基礎Ｂ上に固定する。
【００３２】
車止め20には、逆Ｕの字形状の丸鋼管である防護管21を設け、防護管21の左右における垂直部分の下端に水平方向の板である一対の固定板22を設け、固定板22は土台枠13を挟んでアンカーボルトにより基礎Ｂに固定される。
【００３３】
防護管21の左右における垂直部分の裏面側中間部からバルク貯槽１側の基礎Ｂ上に向けて斜めに一対の補強板23を設け、補強板23の上端側は防護管21にボルト・ナットで固定され、補強板23の下端側はアンカーボルトにより基礎Ｂに固定される。
【００３４】
防護管21の左右における垂直部分の表面側中間部の間に車止め横桟24を設け、車止め横桟24は防護管21の防火隔壁10側に位置し、車止め横桟24は防護管21に溶着により固定される。車止め横桟24の左右の中間部と隔壁支柱12の略ハット形状の幅狭側をボルト・ナットで固定する。
【００３５】
防護管21の上部における水平部分の表面側中間部に柱固定枠25を設け、柱固定枠25は防護管21の防火隔壁10側に位置し、柱固定枠25は平面視が略コの字状の板でその開口部が防火隔壁10側に向き、柱固定枠25の上下方向中間部は防護管21に溶着により固定される。柱固定枠25の開口部の間に隔壁支柱12の略ハット形状の平行部がはまり込み、柱固定枠25と隔壁支柱12をボルト・ナットで固定する。
【００３６】
以上のように、防火隔壁10の隔壁支柱12を車止め20の車止め横桟24と柱固定枠25により固定する。
【００３７】
このことにより、防火隔壁10は車止め20に支えられ、隔壁パネル11を基礎Ｂに強固に固定できる。また、防火隔壁10と車止め20を接近させることができ、狭い基礎Ｂ上に隔壁パネル11の他に車止め20を容易に設置できる。
【００３８】
以上の実施例では、基礎Ｂ上の長辺の一辺に防火隔壁10が位置する例を示したが、複数の辺に連続して位置させても良い。
【００３９】
また、車止め20を防火隔壁10とバルク貯槽１の間に設ける例を示したが、車止め20を防火隔壁10の外側の基礎Ｂ上に設けても良い。
【符号の説明】
【００４０】
１  ＬＰガスバルク貯槽等としてのバルク貯槽
10  防火隔壁
11  隔壁パネル
12  隔壁支柱
20  車止め
Ｂ  基礎
【図１】
0003156210.tif 000003
【図２】
0003156210.tif 000004
【図３】
0003156210.tif 000005
【図４】
0003156210.tif 000006
【図５】
0003156210.tif 000007
【図６】
0003156210.tif 000008